(57)【特許請求の範囲】
【請求項１】
受信アンテナにて受信されたテレビ放送信号を放送チャンネル毎に信号処理し、該信号処理後のテレビ放送信号を混合して出力する放送信号処理装置と、
テレビ放送電波が届かない難視聴地域に設置され、前記放送信号処理装置から出力されたテレビ放送信号を増幅して、送信アンテナから再送信させる送信装置と、
を備えたテレビ放送再送信システムであって、
前記放送信号処理装置は、
当該放送信号処理装置が出力するテレビ放送信号の波数を表す波数信号を生成して前記テレビ放送信号と共に出力する波数信号出力手段を備え、
前記送信装置は、
前記放送信号処理装置から前記テレビ放送信号と共に出力された波数信号から、前記放送信号処理装置が出力したテレビ放送信号の波数を検出する波数検出手段と、
前記送信アンテナから再送信させるテレビ放送信号の中から、所定放送チャンネルのテレビ放送信号を選局し、該テレビ放送信号の信号レベル若しくは信号品質を検出する選局手段と、
該選局手段が選局する放送チャンネルを予め登録された複数の再送信チャンネルの一つに順次切り換えることにより、前記選局手段から、各再送信チャンネル毎に、テレビ放送信号の信号レベル若しくは信号品質を各々取得し、該取得した信号レベル若しくは信号品質は正常か否かを判定する信号状態判定手段と、
該信号状態判定手段にて信号レベル若しくは信号品質が正常であると判定された再送信チャンネルの波数と、前記波数検出手段にて検出された波数が一致しているか否かを判定し、波数が一致していない場合には、当該送信装置が再送信するテレビ放送信号に異常があると判断して、その旨を報知する異常判定手段と、
を備えたことを特徴とするテレビ放送再送信システム。
【請求項２】
前記異常判定手段は、当該送信装置が再送信するテレビ放送信号に異常があると判断すると、前記送信アンテナへのテレビ放送信号の出力を停止させることを特徴とする請求項１に記載のテレビ放送再送信システム。
【請求項３】
前記異常判定手段は、当該送信装置が再送信するテレビ放送信号に異常があると判断すると、前記放送信号処理装置に対し、前記信号状態判定手段にて異常と判定された再送信チャンネルのテレビ放送信号の出力を停止させることを特徴とする請求項１に記載のテレビ放送再送信システム。
【請求項４】
前記選局手段、前記信号状態取得手段、及び、前記異常判定手段は、
前記送信装置とは別体で構成され、前記送信装置に装着可能な監視装置に設けられていることを特徴とする請求項１〜請求項３の何れかに記載のテレビ放送再送信システム。
【請求項５】
受信アンテナにて受信されたテレビ放送信号を放送チャンネル毎に信号処理し、該信号処理後のテレビ放送信号を混合して出力すると共に、該混合したテレビ放送信号の波数を表す波数信号を生成して出力する放送信号処理装置と、
テレビ放送電波が届かない難視聴地域に設置され、前記放送信号処理装置から出力されたテレビ放送信号を増幅して、送信アンテナから再送信させると共に、前記放送信号処理装置から出力された波数信号から、前記放送信号処理装置が出力したテレビ放送信号の波数を検出する送信装置と、
を備えたテレビ放送再送信システムにおいて、前記送信装置から再送信されるテレビ放送信号が正常か否かを監視する監視装置であって、
前記送信アンテナから再送信させるテレビ放送信号の中から、所定放送チャンネルのテレビ放送信号を選局し、該テレビ放送信号の信号レベル若しくは信号品質を検出する選局
手段と、
該選局手段が選局する放送チャンネルを予め登録された複数の再送信チャンネルの一つに順次切り換えることにより、前記選局手段から、各再送信チャンネル毎に、テレビ放送信号の信号レベル若しくは信号品質を各々取得し、該取得した信号レベル若しくは信号品質は正常か否かを判定する信号状態判定手段と、
該信号状態判定手段にて信号レベル若しくは信号品質が正常であると判定された再送信チャンネルの波数と、前記波数検出手段にて検出された波数が一致しているか否かを判定し、波数が一致していない場合には、前記送信装置が再送信するテレビ放送信号に異常があると判断して、その旨を報知する異常判定手段と、
を備えたことを特徴とする監視装置。
【請求項６】
前記異常判定手段は、前記送信装置が再送信するテレビ放送信号に異常があると判断すると、前記送信装置に対し、前記送信アンテナへのテレビ放送信号の出力を停止させることを特徴とする請求項５に記載の監視装置。
【請求項７】
前記異常判定手段は、前記送信装置が再送信するテレビ放送信号に異常があると判断すると、前記放送信号処理装置に対し、前記信号状態判定手段にて異常と判定された再送信チャンネルのテレビ放送信号の出力を停止させることを特徴とする請求項５に記載の監視装置。
【発明の詳細な説明】
【技術分野】
【０００１】
本発明は、テレビ放送電波を受信し、その受信信号を、テレビ放送電波が届かない難視聴地域に設置された送信アンテナまで伝送して再送信させるテレビ放送再送信システム及びその監視装置に関する。
【背景技術】
【０００２】
放送局から送信されたテレビ放送電波が届かない難視聴地域でテレビ放送信号を配信するシステムとして、放送局からのテレビ放送電波を受信可能な場所に受信アンテナを設置し、その受信アンテナからの受信信号を増幅器で増幅しつつ、難視聴地域内に配線された伝送線（同軸ケーブル等）を介して、難視聴地域内の各部に設置された送信アンテナまで伝送することで、送信アンテナからテレビ放送電波を再送信させるテレビ放送再送信システムが知られている（例えば、特許文献１等、参照）。
【０００３】
また、この種のシステムにおいては、再送信させるテレビ放送信号の品質が悪いと、近隣のテレビ受信機に対して不要な妨害を与えることがある。そこで、従来、受信アンテナにて受信された再送信用のテレビ放送信号を各放送チャンネル毎に選局して、その信号品質を検出し、品質の悪いテレビ放送信号があれば、その放送チャンネルの送信アンテナ側への通過を阻止することも提案されている（例えば、特許文献２等、参照）。
【特許文献１】特開２００４−４８１４１号公報
【特許文献２】特開２００６−２８７３４２号公報
【発明の開示】
【発明が解決しようとする課題】
【０００４】
ところで、上記のようにテレビ放送信号を再送信するシステムでは、受信アンテナと送信アンテナとが異なる場所に設置されることから、通常、受信アンテナが設置された受信点で、再送信するテレビ放送信号を各放送チャンネル毎に信号処理して、その信号レベルを適正レベルに設定し、そのレベル設定後のテレビ放送信号を混合して、送信アンテナが設置された送信点まで伝送し、送信点では、伝送されてきたテレビ放送信号を増幅して送信アンテナに出力するように構成される。
【０００５】
そして、受信アンテナにて受信されたテレビ放送信号は、受信点でテレビ放送信号を放送チャンネル毎に処理するのに用いられる信号処理回路や、受信点から送信点までの伝送経路及び送信点でテレビ放送信号を増幅するのに用いられる増幅回路等を通過する際に、これら各回路の故障等によって信号レベルや信号品質が低下することがある。
【０００６】
しかし、上記提案のシステムでは、受信アンテナにて受信された再送信用のテレビ放送信号の信号品質を検出して、その信号品質が正常であれば、送信アンテナ側に伝送するように構成されているので、受信アンテナから送信アンテナまでのテレビ放送信号の伝送経路でテレビ放送信号の信号レベルや信号品質が低下したとしても、そのテレビ放送信号は送信アンテナから再送信されてしまうことになり、送信アンテナから再送信されるテレビ放送信号を信号レベルや信号品質が適正なものに制限することができなかった。
【０００７】
本発明は、こうした問題に鑑みなされたものであり、テレビ放送電波を受信し、その受信信号をテレビ放送電波が届かない難視聴地域に設置された送信アンテナから再送信させるテレビ放送再送信システムにおいて、送信アンテナから再送信されるテレビ放送信号の信号レベル或いは信号品質を放送チャンネル毎に監視して、送信アンテナから再送信されるテレビ放送信号を適正なものに制限できるようにすることを目的とする。
【課題を解決するための手段】
【０００８】
かかる目的を達成するためになされた請求項１に記載の発明は、受信アンテナにて受信されたテレビ放送信号を放送チャンネル毎に信号処理し、該信号処理後のテレビ放送信号を混合して出力する放送信号処理装置と、テレビ放送電波が届かない難視聴地域に設置され、前記放送信号処理装置から出力されたテレビ放送信号を増幅して、送信アンテナから再送信させる送信装置と、を備えたテレビ放送再送信システムであって、
前記放送信号処理装置は、当該放送信号処理装置が出力するテレビ放送信号の波数を表す波数信号を生成して前記テレビ放送信号と共に出力する波数信号出力手段を備え、
前記送信装置は、前記放送信号処理装置から前記テレビ放送信号と共に出力された波数信号から、前記放送信号処理装置が出力したテレビ放送信号の波数を検出する波数検出手段と、前記送信アンテナから再送信させるテレビ放送信号の中から、所定放送チャンネルのテレビ放送信号を選局し、該テレビ放送信号の信号レベル若しくは信号品質を検出する選局手段と、該選局手段が選局する放送チャンネルを予め登録された複数の再送信チャンネルの一つに順次切り換えることにより、前記選局手段から、各再送信チャンネル毎に、テレビ放送信号の信号レベル若しくは信号品質を各々取得し、該取得した信号レベル若しくは信号品質は正常か否かを判定する信号状態判定手段と、該信号状態判定手段にて信号レベル若しくは信号品質が正常であると判定された再送信チャンネルの波数と、前記波数検出手段にて検出された波数が一致しているか否かを判定し、波数が一致していない場合には、当該送信装置が再送信するテレビ放送信号に異常があると判断して、その旨を報知する異常判定手段と、を備えたことを特徴とする。
【０００９】
また、請求項２に記載の発明は、請求項１に記載のテレビ放送再送信システムにおいて、前記異常判定手段は、当該送信装置が再送信するテレビ放送信号に異常があると判断すると、前記送信アンテナへのテレビ放送信号の出力を停止させることを特徴とする。
【００１０】
また、請求項３に記載の発明は、請求項１に記載のテレビ放送再送信システムにおいて、前記異常判定手段は、当該送信装置が再送信するテレビ放送信号に異常があると判断すると、前記放送信号処理装置に対し、前記信号状態判定手段にて異常と判定された再送信チャンネルのテレビ放送信号の出力を停止させることを特徴とする。
【００１１】
また更に、請求項４に記載の発明は、請求項１〜請求項３の何れかに記載のテレビ放送再送信システムにおいて、前記選局手段、前記信号状態取得手段、及び、前記異常判定手段は、前記送信装置とは別体で構成され前記送信装置に装着可能な監視装置に設けられていることを特徴とする。
【００１２】
一方、請求項５に記載の発明は、受信アンテナにて受信されたテレビ放送信号を放送チャンネル毎に信号処理し、該信号処理後のテレビ放送信号を混合して出力すると共に、該混合したテレビ放送信号の波数を表す波数信号を生成して出力する放送信号処理装置と、テレビ放送電波が届かない難視聴地域に設置され、前記放送信号処理装置から出力されたテレビ放送信号を増幅して、送信アンテナから再送信させると共に、前記放送信号処理装置から出力された波数信号から、前記放送信号処理装置が出力したテレビ放送信号の波数を検出する送信装置と、を備えたテレビ放送再送信システムにおいて、前記送信装置から再送信されるテレビ放送信号が正常か否かを監視する監視装置であって、
前記送信アンテナから再送信させるテレビ放送信号の中から、所定放送チャンネルのテレビ放送信号を選局し、該テレビ放送信号の信号レベル若しくは信号品質を検出する選局手段と、該選局手段が選局する放送チャンネルを予め登録された複数の再送信チャンネルの一つに順次切り換えることにより、前記選局手段から、各再送信チャンネル毎に、テレビ放送信号の信号レベル若しくは信号品質を各々取得し、該取得した信号レベル若しくは信号品質は正常か否かを判定する信号状態判定手段と、該信号状態判定手段にて信号レベ
ル若しくは信号品質が正常であると判定された再送信チャンネルの波数と、前記波数検出手段にて検出された波数が一致しているか否かを判定し、波数が一致していない場合には、前記送信装置が再送信するテレビ放送信号に異常があると判断して、その旨を報知する異常判定手段と、を備えたことを特徴とする。
【００１３】
また、請求項６に記載の発明は、請求項５に記載の監視装置において、前記異常判定手段は、前記送信装置が再送信するテレビ放送信号に異常があると判断すると、前記送信装置に対し、前記送信アンテナへのテレビ放送信号の出力を停止させることを特徴とする。
【００１４】
また、請求項７に記載の発明は、請求項５に記載の監視装置において、前記異常判定手段は、前記送信装置が再送信するテレビ放送信号に異常があると判断すると、前記放送信号処理装置に対し、前記信号状態判定手段にて異常と判定された再送信チャンネルのテレビ放送信号の出力を停止させることを特徴とする。
【発明の効果】
【００１５】
請求項１に記載のテレビ放送再送信システムにおいては、放送信号処理装置が、受信アンテナにて受信されたテレビ放送信号を放送チャンネル毎に信号処理し、その信号処理後のテレビ放送信号を混合して出力し、送信装置が、放送信号処理装置から出力されたテレビ放送信号を増幅して、送信アンテナから再送信させる。
【００１６】
また、放送信号処理装置には、波数信号出力手段が設けられている。そして、波数信号出力手段は、当該放送信号処理装置が出力するテレビ放送信号の波数を表す波数信号を生成してテレビ放送信号と共に出力する。
【００１７】
つまり、放送信号処理装置では、受信アンテナからの受信信号の中から、予め再送信するテレビ放送信号として設定された放送チャンネル（つまり再送信チャンネル）のテレビ放送信号を各々抽出して、その信号レベルの調整等の信号処理を行い、その信号処理後の全放送チャンネルのテレビ放送信号を混合して出力するが、テレビ放送電波は、放送機器のメンテナンス等のために停波することがあり、この場合は、再送信チャンネルとして設定された全チャンネルのテレビ放送信号を出力できない。そこで、本発明では、放送信号処理装置に波数信号出力手段を設けて、送信装置側に、現在混合出力しているテレビ放送信号の波数を通知するようにしている。
【００１８】
一方、送信装置には、放送信号処理装置からテレビ放送信号と共に出力された波数信号から、放送信号処理装置が出力したテレビ放送信号の波数を検出する波数検出手段と、送信アンテナから再送信させるテレビ放送信号の中から、所定放送チャンネルのテレビ放送信号を選局し、そのテレビ放送信号の信号レベル若しくは信号品質を検出する選局手段が設けられている。
【００１９】
そして、送信装置では、信号状態判定手段が、選局手段が選局する放送チャンネルを予め登録された複数の再送信チャンネルの一つに順次切り換えることにより、選局手段から、各再送信チャンネル毎に、テレビ放送信号の信号レベル若しくは信号品質を各々取得し、その取得した信号レベル若しくは信号品質は正常か否かを判定し、異常判定手段が、信号状態判定手段にて信号レベル若しくは信号品質が正常であると判定された再送信チャンネルの波数と、波数検出手段にて検出された波数が一致しているか否かを判定し、波数が一致していない場合に、当該送信装置が再送信するテレビ放送信号に異常があると判断して、その旨を報知する。
【００２０】
つまり、上記各波数が一致している場合には、送信アンテナから再送信させるテレビ放送信号は、放送信号処理装置から出力されたテレビ放送信号と一致しており、しかも、そ
のテレビ放送信号は全て信号レベル若しくは信号品質が正常であると判断できるので、異常判定手段は、当該送信装置が再送信するテレビ放送信号は正常であると判断する。
【００２１】
これに対し、上記各波数が一致していない場合には、放送信号処理装置から出力された筈のテレビ放送信号の何れかに異常があり、正常な再送信ができないと判断できるので、異常判定手段は、当該送信装置が再送信するテレビ放送信号に異常があると判断して、その旨を報知する。
【００２２】
従って、本発明のテレビ放送再送信システムによれば、受信アンテナから送信アンテナまでのテレビ放送信号の伝送系で何らかの異常（機器の故障・誤動作、妨害波の侵入等）が生じ、送信アンテナから再送信するテレビ放送信号の少なくとも一つに信号レベル若しくは信号品質の異常がある場合には、その旨を正確に検出して、管理者等に通知し、その異常なテレビ放送信号の再送信を停止させることができる。
【００２３】
なお、異常判定手段は、送信装置が再送信するテレビ放送信号に異常があると判断した際、単に異常を報知するだけでなく、請求項２に記載のように、送信装置から送信アンテナへのテレビ放送信号の出力を停止させるように構成すれば、異常なテレビ放送信号が再送信されるのをより確実に防止でき、延いては、その異常なテレビ放送信号によって近隣のテレビ受信機に妨害を与えるのをより確実に防止できる。
【００２４】
また、送信装置と放送信号処理装置とが近接配置又は一体構成されているか、或いは、送信装置と放送信号処理装置とが双方向通信できるようになっており、異常判定手段から放送信号処理装置に直接指令信号を送信できる場合、異常判定手段は、請求項３に記載のように、送信装置が再送信するテレビ放送信号に異常があると判断すると、放送信号処理装置に対し指令信号を送信することで、信号状態判定手段にて異常と判定された再送信チャンネルのテレビ放送信号の出力を停止させるようにしてもよい。
【００２５】
そして、このようにすれば、信号レベル若しくは信号品質に異常があり、近隣のテレビ受信機に妨害を与える可能性のあるテレビ放送信号だけを再送信停止にし、正常なテレビ放送信号については、再送信を継続させることができる。
【００２６】
なお、異常判定手段は、異常判定時にその旨を報知するが、異常の報知は、警報ランプの点灯、警報音を発生等で、管理者に異常を報知するようにしてもよいが、送信装置が無人で運営される一般的なシステムでは、異常判定手段に、携帯電話等の無線通信端末を設け、その無線通信端末を使って管理者に異常を通知するように構成するとよい。
【００２７】
また次に、選局手段、信号状態取得手段、及び、異常判定手段は、請求項４に記載のように、送信装置とは別体で構成された監視装置に設け、この監視装置を送信装置に装着することによって、送信装置から再送信されるテレビ放送信号の正常／異常を監視するようにしてもよい。
【００２８】
なお、このように監視装置を別体で構成した場合、監視装置を放送信号処理装置に装着することで、放送信号処理装置から出力されるテレビ放送信号の正常／異常を監視することもできるようになる。
【００２９】
次に、請求項５〜請求項７に記載の発明は、このように送信装置とは別体で構成した監視装置に関する発明であり、請求項５に記載の監視装置は、請求項１に記載の選局手段、信号状態判定手段、及び異常判定手段を備え、請求項６に記載の監視装置は、異常判定手段が、請求項２に記載のものと同様に構成され、請求項７に記載の監視装置は、異常判定手段が、請求項３に記載のものと同様に構成されている。
【００３０】
このため、請求項５〜請求項７に記載の監視装置によれば、それぞれ、上述した請求項１〜請求項３と同様の効果を得ることができる。また、この監視装置は、放送信号処理装置に装着することで、放送信号処理装置から出力されるテレビ放送信号の正常／異常を監視することもできるようになる。
【発明を実施するための最良の形態】
【００３１】
以下に、本発明の実施形態を図面と共に説明する。
図１は、本発明が適用されたテレビ放送再送信システムの全体構成を表すシステム構成図である。
【００３２】
本実施形態のテレビ放送再送信システムは、テレビ放送局からＵＨＦ帯で配信される地上デジタル放送のテレビ放送電波が、地形或いは建造物により遮断されて、その放送電波を直接受信することのできない難視聴地域内にテレビ放送電波を再送信するためのものである。
【００３３】
図１に示すように、テレビ放送再送信システムは、放送局から送信されたテレビ放送電波（以下単に放送電波という）を受信可能な場所に設置された受信アンテナ２と、この受信アンテナ２からの受信信号を処理して伝送線６に送出する、放送信号処理装置としてのヘッドエンド４と、再送信対象となる難視聴地域に設置され、ヘッドエンド４から伝送線６を介して伝送されてきたテレビ放送信号を、送信アンテナ９を介して再送信させる送信装置８と、送信装置８に装着され、送信アンテナ９から再送信されるテレビ放送信号が正常か否かを放送チャンネル毎に監視する監視装置１０と、から構成されている。
【００３４】
なお、伝送線６は、一般的なＣＡＴＶシステムと同様、ヘッドエンド４から出力された各種放送信号を端末側の送信装置８へと伝送するためのものであり、本実施形態では同軸ケーブルにて構成されている。そして、伝送線６には、各種放送信号を劣化させることなく端末側まで伝送できるように、受信信号増幅用の増幅器５や受信信号分器用の分岐器７等の各種伝送機器が設けられている。
【００３５】
ヘッドエンド４には、図２に示すように、受信アンテナ２からの受信信号を増幅する増幅回路１２と、その増幅された受信信号を、当該ヘッドエンド４の設置場所にて受信アンテナ２により受信可能なテレビ放送信号のチャンネル数（波数）に分配する分配回路１４と、この分配回路１４にて分配された受信信号の中から、受信アンテナ２にて受信可能な各放送チャンネルのテレビ放送信号を各々抽出し、その抽出したテレビ放送信号を処理して、その信号レベルを適正レベルに設定する複数のチャンネルプロセッサ２０と、各チャンネルプロセッサ２０にて信号処理された各放送チャンネルのテレビ放送信号を混合する混合回路１６と、この混合回路１６にて混合されたテレビ放送信号を増幅する増幅回路１８とが設けられている。
【００３６】
ここで、チャンネルプロセッサ２０には、処理対象となる特定放送チャンネルのテレビ放送信号を選択的に通過させるためのバンドパスフィルタ（以下、ＢＰＦと記載する）２２と、ＢＰＦ２２を通過したテレビ放送信号を処理するプロセッサユニット２４と、ＢＰＦ２２を通過したテレビ放送信号（受信信号）を、分岐回路２６を介して取り込み、その信号レベルから、テレビ放送信号の有無（つまり、特定放送チャンネルのテレビ放送がなされているか停波しているか）を判定し、停波している場合にはプロセッサユニット２４の動作を停止させる停波判定部２８とから構成されている。
【００３７】
このため、各チャンネルプロセッサ２０は、分配回路１４を介して入力される受信信号
の中に処理対象となる特定放送チャンネルのテレビ放送信号が含まれている場合には、そのテレビ放送信号を処理して出力するが、受信信号に処理対象となるテレビ放送信号が含まれていない場合（つまり停波している場合）には、所謂スケルチ機能によって、自ら動作を停止して、テレビ放送信号以外の不要信号を出力するのを防止することになる。
【００３８】
そして、ヘッドエンド４には、各チャンネルプロセッサ２０の停波判定部２８から判定結果を取り込むことで、受信アンテナ２にて実際に受信されヘッドエンド４から実際に出力されるテレビ放送信号のチャンネル数（波数）を検出して、その波数データを生成する波数データ生成回路３０が設けられている。
【００３９】
また、この波数データ生成回路３０にて生成された波数データは、ＦＳＫ変調回路３２に入力され、発振器３４にて生成された高周波信号をＦＳＫ変調することにより、波数信号を生成するのに使用される。なお、発振器３４は、当該ヘッドエンド４から出力されるテレビ放送信号とは周波数が異なる高周波信号（より具体的には、受信アンテナ２にて受信可能なＵＨＦのテレビ放送周波数帯域よりも低い周波数の高周波信号）を、波数データ伝送用の搬送波として発生するものである。
【００４０】
そして、ＦＳＫ変調回路３２で生成された波数信号は、混合回路３６に入力されて、増幅回路１８にて増幅された各放送チャンネルのテレビ放送信号と混合される。また、この混合回路３６にて混合された各信号は、増幅回路３７にて更に増幅され、避雷素子やフィルタ等からなる出力回路３８を介して、伝送線６へ送出される。
【００４１】
次に、送信装置８には、ヘッドエンド４から伝送線６を介して伝送されてきた受信信号（詳しくは、テレビ放送信号＋波数信号）を増幅する増幅回路４２と、この増幅回路４２にて増幅された受信信号を減衰させる可変減衰器４４と、可変減衰器４４にて減衰された受信信号を増幅回路４６と、増幅回路４６により増幅された受信信号のうち、各放送チャンネルのテレビ放送信号のみを通過させるハイパスフィルタ（以下、ＨＰＦと記載する）４８とが設けられており、ＨＰＦ４８を通過した各放送チャンネルのテレビ放送信号が、再送信信号として、送信アンテナ９に出力される。
【００４２】
つまり、送信装置８は、信号入力側の増幅回路４２と、可変減衰器４４と、信号出力側の増幅回路４６とにより、利得調整可能な増幅装置として構成されており、可変減衰器４４を用いた利得調整によって、送信アンテナ９へ出力されるテレビ放送信号の信号レベル（換言すれば送信アンテナ９からのテレビ放送信号の送信電力）を設定できるようにされている。
【００４３】
また、送信装置８には、増幅回路４６により増幅された受信信号のうち、各放送チャンネルのテレビ放送信号よりも周波数が低い波数信号のみを通過させるローパスフィルタ（以下、ＬＰＦと記載する）５０が設けられている。
【００４４】
そして、ＬＰＦ５０を通過した波数信号は、ノイズ成分を除去するためのＢＰＦ５２を介して、ＦＳＫ復調回路５４に入力され、ＦＳＫ復調回路５４にて、波数データが復元される。また、このＦＳＫ復調回路５４にて復元された波数データは、マイクロコンピュータからなる制御回路６０に入力される。
【００４５】
また、送信装置８には、ＨＰＦ４８を通過した再送信信号の一部を分岐させる分岐回路５６と、この分岐回路５６にて分岐された再送信信号を全周波数帯域で検波することにより、再送信信号全放送チャンネル分の総合電力を検出する検波回路５８が設けられており、この検波回路５８から出力される検波電圧も制御回路６０に入力される。
【００４６】
そして、制御回路６０は、ＦＳＫ復調回路５４から入力された波数データに従い、再送信信号全放送チャンネル分の目標電力（詳しくは目標検波電圧）を設定し、検波回路５８にて検出された総合電力（検波電圧）が目標電力（目標検波電圧）となるよう、利得調整回路６２を制御することにより、利得調整回路６２を介して、可変減衰器４４の減衰量（すなわち、当該送信装置８におけるテレビ放送信号の増幅利得）を制御する。
【００４７】
つまり、ヘッドエンド４から伝送されてきたテレビ放送信号のチャンネル数（波数）が多い程、検波回路５８にて検出される再送信信号の総合電力（検波電圧）が大きくなるため、制御回路６０は、ＦＳＫ復調回路５４にて復調された波数データに基づき、再送信信号に含まれるテレビ放送信号の波数が多いほど、目標電力（目標検波電圧）が大きくなるように設定する。
【００４８】
また、制御回路６０は、監視装置１０との間でデータ通信可能となっており、ＦＳＫ復調回路５４から入力された波数データを監視装置１０に出力すると共に、監視装置１０から再送信停止指令を受けると、電源遮断回路６４を駆動し、増幅回路４２、４６への電源供給を遮断させる。
【００４９】
なお、送信装置８には、分岐回路５６を通過した再送信信号の一部を分岐させる分岐回路６６が設けられており、この分岐回路６６にて分岐された再送信信号は、監視装置１０に出力される。
【００５０】
次に、監視装置１０には、送信装置８の制御回路６０との間でデータ通信が可能な制御回路７０と、監視装置１０から入力される再送信信号の中から、所定放送チャンネルのテレビ放送信号を選局し、その選局したテレビ放送信号の信号レベル、及び、テレビ放送信号の信号品質を表す変調誤差比（ＭＥＲ：Modulation Error Ratio）を検出可能なチューナモジュール７２と、携帯電話等の無線通信回線を介して当該テレビ放送再送信システムの管理者に監視状態を通知するための無線通信モジュール７４と、が設けられている。
【００５１】
そして、制御回路７０は、マイクロコンピュータにて構成されており、図４に示す再送信監視処理を繰り返し実行することにより、送信装置８が送信アンテナ９に出力する再送信信号（詳しくは再送信信号を構成する複数のテレビ放送信号の全て）が正常か否かを監視し、再送信信号の異常を検出すると、送信装置８の制御回路６０に再送信停止指令を出力して、送信アンテナ９からのテレビ放送信号の再送信を停止させると共に、その異常検出結果を、無線通信モジュール７４を介して管理者に通知する。
【００５２】
以下、この制御回路７０にて実行される再送信監視処理を説明する。
図４に示すように、再送信監視処理では、まずＳ１１０（Ｓはステップを表す）にて、送信装置８から波数データを取得すると共に、波数カウンタを値０に初期化する。
【００５３】
次に、Ｓ１２０では、チューナモジュール７２に対して、予め登録された複数の再送信チャンネルの一つを選局させる選局指令を送信することで、再送信チャンネルの一つを選局させ、チューナモジュール７２からその再送信チャンネルのテレビ放送信号の信号レベル及びＭＥＲを取得する。
【００５４】
なお、予め登録された複数の再送信チャンネルとは、ヘッドエンド４に設けられた各チャンネルプロセッサ２０が個々に信号処理するテレビ放送信号の全放送チャンネルであり、制御回路７０内のメモリに予め登録されている。
【００５５】
そして、続くＳ１３０では、Ｓ１２０にて取得した再送信チャンネルの信号レベル及び
ＭＥＲを予め設定された異常判定値と比較することで、これら各パラメータが共に正常であるか否かを判断し、これら各パラメータが共に正常であれば、Ｓ１４０にて、波数カウンタをカウントアップ（＋１）した後、Ｓ１５０に移行し、これら各パラメータの何れか一方又は両方が異常であれば、そのままＳ１５０に移行する。
【００５６】
Ｓ１５０では、Ｓ１２０の処理を繰り返し実行することにより、予め登録された複数の再送信チャンネルの全てを選局して、その再送信チャンネルの信号レベル及びＭＥＲを取得し、Ｓ１３０の判定処理を実行したか否かを判断する。
【００５７】
そして、全再送信チャンネルの選局及び判定が完了していなければ、Ｓ１２０に移行して、複数の再送信チャンネルのうち、まだ選局及び判定が完了していない再送信チャンネルの選局指令をチューナモジュールに出力することにより、全再送信チャンネルの選局及び判定が完了するまで、上記Ｓ１２０〜Ｓ１５０の処理を繰り返し実行する。
【００５８】
一方、上記Ｓ１２０〜Ｓ１５０の処理を繰り返し実行することにより、Ｓ１５０にて、全再送信チャンネルの選局及び判定が完了したと判断されると、Ｓ１６０に移行して、波数カウンタの値と、Ｓ１１０で取得した波数データの値とが一致しているか否かを判断する。
【００５９】
そして、これら各値が一致していれば、送信装置８から送信アンテナ９に出力される再送信信号（詳しくは再送信信号を構成する複数のテレビ放送信号の全て）は正常であると判断して、Ｓ１１０に移行し、Ｓ１１０以降の上記一連の処理を再度実行し、逆に、上記各値が一致していなければ、送信装置８から送信アンテナ９に出力される再送信信号（詳しくは再送信信号を構成する複数のテレビ放送信号の少なくとも何れか一つ）は異常であると判断して、Ｓ１７０に移行する。
【００６０】
そして、Ｓ１７０では、送信装置８の制御回路６０に再送信停止指令を出力することで、送信装置８内の増幅回路４２、４６への電源供給を遮断させて、送信アンテナ９からのテレビ放送信号の再送信を停止させ、Ｓ１８０に移行する。
【００６１】
また、Ｓ１８０では、送信装置８から送信アンテナ９に出力されるテレビ放送信号の何れかに異常があること（換言すれば、ヘッドエンド４から伝送線へ出力された筈のテレビ放送信号を再送信できないこと）を、無線通信モジュール７４を介して管理者に通知し、当該再送信監視処理を終了する。
【００６２】
以上説明したように、本実施形態のテレビ放送再送信システムにおいては、ヘッドエンド４から送信装置８側に、再送信用のテレビ放送信号が出力されるだけでなく、そのテレビ放送信号の波数を表す波数信号も出力され、送信装置８側では、その波数信号からヘッドエンド４が出力したテレビ放送信号の波数を検知して、送信アンテナ９から再送信させる全テレビ放送信号の総合電力を波数に応じて制御する。
【００６３】
また、送信装置８から監視装置１０には、ヘッドエンド４が出力したテレビ放送信号の波数を表す波数データと、送信装置８から送信アンテナ９に出力される各放送チャンネルのテレビ放送信号（再送信信号）が出力される。
【００６４】
そして、監視装置１０側では、制御回路７０が、チューナモジュール７２に対し、送信装置８から入力された再送信信号の中から、予め登録された複数の再送信チャンネルの一つを順次選局させて、各再送信チャンネル毎に信号レベル及びＭＥＲを取得し、これら各パラメータが共に正常であれば、波数カウンタをカウントアップすることで、送信装置８が送信アンテナ９から再送信させる正常なテレビ放送信号の波数をカウントし、そのカウ
ントした波数がヘッドエンド４からの波数データと一致していれば、送信装置８が送信アンテナ９から送信させるテレビ放送信号は全て正常であると判断し、カウントした波数がヘッドエンド４からの波数データと一致していなければ、送信装置８が送信アンテナ９から送信させるテレビ放送信号の何れかに異常があると判断して、送信装置８から送信アンテナ９へのテレビ放送信号の出力を停止させる。
【００６５】
このため、本実施形態のテレビ放送再送信システムによれば、受信アンテナ２から送信アンテナ９までのテレビ放送信号の伝送系で何らかの異常（機器の故障・誤動作、妨害波の侵入等）が生じ、送信アンテナ９から再送信するテレビ放送信号の少なくとも一つに信号レベル若しくは信号品質の異常がある場合には、その旨を正確に検出して、その異常なテレビ放送信号の再送信を停止させることができる。
【００６６】
よって、本実施形態によれば、送信アンテナ９から異常なテレビ放送信号が再送信されるのを防止し、その異常なテレビ放送信号によって近隣のテレビ受信機に妨害を与えるのを防止できる。
【００６７】
なお、本実施形態においては、ヘッドエンド４が、本発明の放送信号処理装置に相当し、ヘッドエンド４内の波数データ生成回路３０及びＦＳＫ変調回路３２が、本発明の波数信号出力手段に相当し、送信装置８内のＦＳＫ復調回路５４が、本発明の波数検出手段に相当する。
【００６８】
また、本実施形態では、監視装置１０に設けられたチューナモジュール７２が、本発明の選局手段に相当し、制御回路７０にて実行される再送信監視処理におけるＳ１２０〜Ｓ１５０の処理が、本発明の信号状態判定手段に相当し、同じく再送信監視処理におけるＳ１６０〜Ｓ１８０の処理が、本発明の異常判定手段に相当する。
【００６９】
以上、本発明の一実施形態について説明したが、本発明は、上記実施形態に限定されるものではなく、本発明の要旨を逸脱しない範囲内にて、種々の態様をとることができる。
例えば、上記実施形態では、監視装置１０にて、送信装置８から送信アンテナ９に出力される再送信信号に異常があると判定すると、送信装置８から送信アンテナ９への再送信信号の出力を停止させるものとして説明したが、これでは、再送信監視処理にて信号レベル及びＭＥＲが共に正常であると判断された放送チャンネルのテレビ放送信号の送信も停止されてしまう。
【００７０】
このため、送信装置８とヘッドエンド４とが近接配置又は一体構成されているか、或いは、送信装置８とヘッドエンド４とが双方向通信できるように構成されたテレビ放送再送信システムであれば、図４に示した再送信監視処理のＳ１７０にて、再送信停止指令を出力するのに変えて、ヘッドエンド４に対し、Ｓ１３０にて信号レベル及びＭＥＲの少なくとも一方が異常であると判断された放送チャンネルの出力（詳しくはその放送チャンネルのテレビ放送信号を信号処理するチャンネルプロセッサ２０の動作）を停止させる停止指令を出力するようにしてもよい。
【００７１】
つまり、このようにすれば、信号レベル若しくは信号品質に異常があり、近隣のテレビ受信機に妨害を与える可能性のあるテレビ放送信号だけを再送信停止にし、正常なテレビ放送信号については、再送信を継続させることができる。
【００７２】
一方、上記実施形態では、送信装置８から送信アンテナ９に出力される再送信信号の異常判定を行う監視装置１０は、送信装置８とは別体で構成されるものとして説明したが、監視装置１０を構成する各部は、送信装置８内に組み込み、監視装置１０を送信装置８と
一体化してもよい。
【００７３】
また、上記実施形態では、選局手段としてのチューナモジュール７２は、選局したテレビ放送信号の信号レベルと、そのテレビ放送信号の信号品質を表すＭＥＲを検出でき、再送信監視処理では、これら両パラメータが正常か否かを判断することで、テレビ放送信号の正常／異常を判断するものとして説明したが、チューナモジュール７２は、信号レベルと信号品質の何れか一方を検出できるものであれば、上記実施形態と同様に本発明を適用できる。つまり、この場合、再送信監視処理にて、チューナモジュール７２で検出された信号レベル又は信号品質に基づき、テレビ放送信号の正常／異常を判断するようにすればよい。
【００７４】
また、テレビ放送信号の信号品質を表すパラメータとしては、ビット誤り率（ＢＥＲ：Bit Error Rate）等、ＭＥＲ以外のパラメータを使用することができるし、ＭＥＲとＢＥＲの両方を用いて、各放送チャンネル毎にテレビ放送信号の異常判定を行うようにしてもよい。
【図面の簡単な説明】
【００７５】
【図１】実施形態のテレビ放送再送信システム全体の構成を表す構成図である。
【図２】ヘッドエンドの構成を表すブロック図である。
【図３】送信装置及び監視装置の構成を表すブロック図である。
【図４】監視装置の制御回路で実行される再送信監視処理を表すフローチャートである。
【符号の説明】
【００７６】
２…受信アンテナ、４…ヘッドエンド、５…増幅器、６…伝送線、８…送信装置、９…送信アンテナ、１０…監視装置、１２…増幅回路、１４…分配回路、１６…混合回路、１８…増幅回路、２０…チャンネルプロセッサ、２２…ＢＰＦ、２４…プロセッサユニット、２６…分岐回路、２８…停波判定部、３０…波数データ生成回路、３２…ＦＳＫ変調回路、３４…発振器、３６…混合回路、３７…増幅回路、３８…出力回路、４２…増幅回路、４４…可変減衰器、４６…増幅回路、４８…ＨＰＦ、５０…ＬＰＦ、５２…ＢＰＦ、５４…ＦＳＫ復調回路、５６…分岐回路、５８…検波回路、６０…制御回路、６２…利得調整回路、６４…電源遮断回路、６６…分岐回路、７０…制御回路、７２…チューナモジュール、７４…無線通信モジュール。
【図１】
0005048566.tif 000002
【図２】
0005048566.tif 000003
【図３】
0005048566.tif 000004
【図４】
0005048566.tif 000005